(57)【要約】【課題】  運転に集中して車載用電子装置の表示モードを変更することができる車両電子装置システムおよび車両に搭載する車載用電子装置を提供すること。【解決手段】    車両電子装置システムは、カーナビゲーション装置と車両制御装置１１とを備える。カーナビゲーション装置のナビ制御装置３は、ディスプレイ５の表示を通常表示モードと夜間表示モードに分けて表示する。車両制御装置１１は、車両のライトスイッチ１２がヘッドランプオンの位置でヘッドランプが点灯している場合と、オートライトの位置でヘッドランプが点灯している場合とを識別できる信号を出力する。カーナビゲーション装置のナビ制御装置３は、車両のライトスイッチ１２がヘッドランプオンの位置でヘッドランプが点灯している場合は、ナビ画面を通常表示モードで表示し、オートライトの位置でヘッドランプが点灯している場合は夜間表示モードで表示するよう制御する。【選択図】        図１
2006131008.tif 000002
【特許請求の範囲】
【請求項１】
車両電子装置システムであって、
車載用電子装置と、
車両制御手段とを備え、
前記車載用電子装置は、表示手段と、前記表示手段の表示を通常表示モードと前記通常表示モードより表示が暗い第２の表示モードとに分けて表示するように制御する表示制御手段とを有し、
前記車両制御手段は、車両のライトスイッチが第１の位置でヘッドランプが点灯していることを示す第１の信号と、車両のライトスイッチが第２の位置でヘッドランプが点灯していることを示す第２の信号とを出力し、
前記表示制御手段は、前記第１の信号が出力されているとき、前記表示手段の表示を前記通常表示モードで表示するように制御し、前記第２の信号が出力されているとき、前記表示手段の表示を前記第２の表示モードで表示するように制御することを特徴とする車両電子装置システム。
【請求項２】
請求項１に記載の車両電子装置システムにおいて、
前記車両制御手段は、車両のライトスイッチが第２の位置でヘッドランプが消灯していることを示す第３の信号と、車両のライトスイッチがオフである第３の位置であることを示す第４の信号とを出力し、
前記表示制御手段は、前記第３の信号および前記第４の信号が出力されているとき、前記表示手段の表示を前記通常表示モードで表示するように制御することを特徴とする車両電子装置システム。
【請求項３】
請求項２に記載の車両電子装置システムにおいて、
前記車両制御手段は、前記第３の信号と前記第４の信号は共通の信号として出力することを特徴とする車両電子装置システム。
【請求項４】
請求項１から３のいずれかに記載の車両電子装置システムにおいて、
前記車両のライトスイッチの第１の位置はヘッドランプを常時点灯するヘッドランプオンの位置であり、
前記車両のライトスイッチの第２の位置は車外の明るさに応じてヘッドランプを点灯および消灯するオートライトの位置であることを特徴とする車両電子装置システム。
【請求項５】
請求項１から４のいずれかに記載の車両電子装置システムにおいて、
前記車両制御手段は、車両のライトスイッチが車幅灯を点灯する第４の位置であることを示す第５の信号を出力し、
前記車載用電子装置は、前記第５の信号が出力されているときに前記表示手段の表示を前記通常表示モードにするか前記第２の表示モードにするかを選択できる選択手段をさらに備えることを特徴とする車両電子装置システム。
【請求項６】
請求項１から５のいずれかに記載の車両電子装置システムにおいて、
前記表示制御手段は、前記第２の表示モードでは、前記表示手段の表示の輝度を前記通常表示モードより下げるように制御することを特徴とする車両電子装置システム。
【請求項７】
請求項１から５のいずれかに記載の車両電子装置システムにおいて、
前記表示制御手段は、前記第２の表示モードでは、前記表示手段の表示の表示色を前記通常表示モードより暗い色にするように制御することを特徴とする車両電子装置システム。
【請求項８】
請求項１から７のいずれかに記載の車両電子装置システムにおいて、
前記車載用電子装置はナビゲーション装置であり、
前記表示制御手段は、前記表示手段に道路地図を表示することを特徴とする車両電子装置システム。
【請求項９】
請求項８に記載の車両電子装置システムにおいて、
前記第２の表示モードは、夜間の様子で道路地図を表示するモードであることを特徴とする車両電子装置システム。
【請求項１０】
請求項１から９のいずれかに記載の車両電子装置システムの車載用電子装置。
【請求項１１】
車載用電子装置の表示制御方法であって、
ヘッドランプが点灯している状態で、車両のライトスイッチに連動して、車載用電子装置の表示手段の表示を通常表示モードと前記通常表示モードより表示が暗い第２の表示モードとに分けて表示するように制御することを特徴とする車載用電子装置の表示制御方法。
【発明の詳細な説明】
【技術分野】
【０００１】
本発明は、車両電子装置システムおよび車両に搭載する車載用電子装置に関する。
【背景技術】
【０００２】
従来、車両のライトスイッチに連動して、表示素子を減光させる車載用電子機器が知られている（特許文献１参照）。この車載用電子機器では、昼間に車両のライトを点灯して走行する場合、車載用電子機器の所定の操作ボタンを所定時間以上押し続けるか、所定の複数の操作ボタンを同時に押すかによって減光動作を解除するようにしている。
【０００３】
【特許文献１】特開２００２−２５７５５８号公報
【発明の開示】
【発明が解決しようとする課題】
【０００４】
しかし、上記のような減光動作の解除方法は、操作が煩雑であるという問題が生じる。例えば、車両がトンネルに入ったときなどには上記の煩雑な操作が必要になり、トンネルから出たときにも元の動作モードに戻す操作が必要になる。また、上記の操作は車載用電子機器の操作ボタンを使用して行うため、運転に集中できないという問題も生じる。
【０００５】
本発明は、運転に集中して車載用電子装置の表示モードを変更することができる車両電子装置システムおよび車両に搭載する車載用電子装置を提供する。
【課題を解決するための手段】
【０００６】
請求項１の発明は、車両電子装置システムに適用され、車載用電子装置と、車両制御手段とを備え、前記車載用電子装置は、表示手段と、前記表示手段の表示を通常表示モードと前記通常表示モードより表示が暗い第２の表示モードとに分けて表示するように制御する表示制御手段とを有し、前記車両制御手段は、車両のライトスイッチが第１の位置でヘッドランプが点灯していることを示す第１の信号と、車両のライトスイッチが第２の位置でヘッドランプが点灯していることを示す第２の信号とを出力し、前記表示制御手段は、前記第１の信号が出力されているとき、前記表示手段の表示を前記通常表示モードで表示するように制御し、前記第２の信号が出力されているとき、前記表示手段の表示を前記第２の表示モードで表示するように制御することを特徴とするものである。
請求項２の発明は、請求項１に記載の車両電子装置システムにおいて、前記車両制御手段は、車両のライトスイッチが第２の位置でヘッドランプが消灯していることを示す第３の信号と、車両のライトスイッチがオフである第３の位置であることを示す第４の信号とを出力し、前記表示制御手段は、前記第３の信号および前記第４の信号が出力されているとき、前記表示手段の表示を前記通常表示モードで表示するように制御することを特徴とするものである。
請求項３の発明は、請求項２に記載の車両電子装置システムにおいて、前記車両制御手段は、前記第３の信号と前記第４の信号は共通の信号として出力することを特徴とするものである。
請求項４の発明は、請求項１から３のいずれかに記載の車両電子装置システムにおいて、前記車両のライトスイッチの第１の位置はヘッドランプを常時点灯するヘッドランプオンの位置であり、前記車両のライトスイッチの第２の位置は車外の明るさに応じてヘッドランプを点灯および消灯するオートライトの位置であることを特徴とするものである。
請求項５の発明は、請求項１から４のいずれかに記載の車両電子装置システムにおいて、前記車両制御手段は、車両のライトスイッチが車幅灯を点灯する第４の位置であることを示す第５の信号を出力し、前記車載用電子装置は、前記第５の信号が出力されているときに前記表示手段の表示を前記通常表示モードにするか前記第２の表示モードにするかを選択できる選択手段をさらに備えることを特徴とするものである。
請求項６の発明は、請求項１から５のいずれかに記載の車両電子装置システムにおいて、前記表示制御手段は、前記第２の表示モードでは、前記表示手段の表示の輝度を前記通常表示モードより下げるように制御することを特徴とするものである。
請求項７の発明は、請求項１から５のいずれかに記載の車両電子装置システムにおいて、前記表示制御手段は、前記第２の表示モードでは、前記表示手段の表示の表示色を前記通常表示モードより暗い色にするように制御することを特徴とするものである。
請求項８の発明は、請求項１から７のいずれかに記載の車両電子装置システムにおいて、前記車載用電子装置はナビゲーション装置であり、前記表示制御手段は、前記表示手段に道路地図を表示することを特徴とするものである。
請求項９の発明は、請求項８に記載の車両電子装置システムにおいて、前記第２の表示モードは、夜間の様子で道路地図を表示するモードであることを特徴とするものである。
請求項１０の発明は、車載用電子装置に適用され、請求項１から９のいずれかに記載の車両電子装置システムの車載用電子装置とするものである。
請求項１１の発明は、車載用電子装置の表示制御方法に適用され、ヘッドランプが点灯している状態で、車両のライトスイッチに連動して、車載用電子装置の表示手段の表示を通常表示モードと前記通常表示モードより表示が暗い第２の表示モードとに分けて表示するように制御することを特徴とするものである。
【発明の効果】
【０００７】
本発明は、以上説明したように構成しているので、運転に集中しながら、車両のライトスイッチにより車載用電子装置の表示モードを変更することができるという効果を奏する。
【発明を実施するための最良の形態】
【０００８】
図１は本発明の一実施の形態である車両電子装置システムのブロック図である。車載用電子装置としてカーナビゲーション装置が示されている。カーナビゲーション装置は、車両の走行に関する情報を提示する機能、具体的には、車両位置周辺の道路地図を表示する機能、出発地から目的地までの推奨経路を演算する機能、演算された推奨経路に基づいて経路誘導を行う機能などを兼ね備えている。いわゆるナビゲーションあるいは道路案内などを行う装置である。
【０００９】
図１において、左側にカーナビゲーション装置の構成、右側に車両側の構成が示されている。まず、カーナビゲーション装置の構成について説明する。
【００１０】
符号１は車両の現在地を検出する現在地検出装置であり、例えば車両の進行方位を検出するジャイロ１ａ、ＧＰＳ（Global Positioning System）衛星からのＧＰＳ信号を検出するＧＰＳセンサ１ｂ、車速を検出する車速センサ１ｃ等から成る。符号２は道路地図データを格納する地図記憶装置であり、道路地図データが格納された記録媒体であるＣＤ−ＲＯＭ６およびその読み出し装置から成る。記録媒体はＣＤ−ＲＯＭに限定されず、ＤＶＤやその他の記録媒体であってもよい。また、地図記憶装置２は道路地図データが格納されたハードディスク装置であってもよい。
【００１１】
道路地図データは、地図に関する情報であり、地図表示用データ、経路探索用データ、誘導データ（交差点名称・道路名称・方面名称・方向ガイド施設情報など）などからなる。地図表示用データは道路や道路地図の背景を表示するためのデータである。経路探索用データは、道路形状とは直接関係しない分岐情報などから成るデータであり、主に推奨経路を演算（経路探索）する際に用いられる。誘導データは、交差点の名称などから成るデータであり、演算された推奨経路に基づき運転者等に推奨経路を誘導する際に用いられる。
【００１２】
符号３はナビゲーション装置全体を制御するナビ制御装置であり、マイクロプロセッサおよびその周辺回路から成る。ナビ制御装置３は、制御プログラムを格納するＲＯＭ（不図示）および作業エリアのＲＡＭ（不図示）を有し、ＲＯＭに格納された制御プログラムを実行し、各種の制御を行う。
【００１３】
符号４は車両の目的地等を入力する各種スイッチを有する入力装置である。カーソルの移動や画面のスクロールを指示するジョイスティックを含む。なお、入力装置４をリモコン方式としてもよい。また、画面内にタッチパネルスイッチを設けてもよい。さらに、表示モニタ８の表示画面周辺に配置されるスイッチであってもよい。これらのスイッチは、ユーザにより操作されるので、入力装置４は操作装置である。
【００１４】
符号５は地図や各種情報を表示するディスプレイであり、液晶表示装置（ＬＣＤ）などで構成される。ナビ制御装置３は、生成した画像データを画像メモリ（ビデオＲＡＭ、不図示）に格納し、ディスプレイ５に表示する。ディスプレイ５に表示される表示データは、各種の文字データや道路地図などの各種の図形データなどからなる。ナビ制御装置３は、ディスプレイ５の表示制御装置として機能する。
【００１５】
このように構成されるカーナビゲーション装置は、現在地検出装置１により取得した自車位置情報および地図記憶装置２に格納されている道路地図データに基づき各種のナビゲーションを行う。例えば、自車位置近辺の道路地図および自車位置をディスプレイ５に表示し、経路探索によって得られた経路に沿ってドライバーを誘導する。
【００１６】
次に、車両側の構成を説明する。符号１１は、車両全体の制御を行う車両制御装置である。車両制御装置１１には、ライトスイッチ１２、センサ１３、ランプ１４が、不図示のＣＡＮ（Controller Area Network）を経由して接続されている。
【００１７】
図２は、車両のライトスイッチ１２の外観を示す図である。ライトスイッチ１２は、ステアリングホイール付近に設けられ、オフの位置２１、オートライトの位置２２、車幅灯オンの位置２３、ヘッドランプオンの位置２４にセットすることができる。図１のセンサ１３は、車外の明るさを検知するセンサである。ランプ１４は、ヘッドランプ、車幅灯（クリアランスランプ）、尾灯（テールランプ）などである。
【００１８】
ライトスイッチ１２がオフの位置２１にセットされているときは、ヘッドランプ、車幅灯、尾灯は消灯される。ライトスイッチ１２がオートライトの位置２２にセットされているときは、センサ１３で検出された車外の明るさに応じて、ヘッドランプ、車幅灯、尾灯が自動的に点灯されたり消灯されたりする。すなわち、車外の明るさが所定の明るさ以上であれば、ヘッドランプ、車幅灯、尾灯が消灯され、車外の明るさが所定の明るさより暗くなった場合は、ヘッドランプ、車幅灯、尾灯が自動的に点灯される。
【００１９】
ライトスイッチ１２が車幅灯オンの位置２３にセットされているときは、ヘッドランプは消灯され、車幅灯、尾灯が点灯される。ライトスイッチ１２がヘッドランプオンの位置２４にセットされているときは、ヘッドランプ、車幅灯、尾灯が常時点灯される。
【００２０】
なお、本実施の形態では、ヘッドランプと車幅灯は別々に設けられており、ヘッドランプが点灯されるとは、ハイビームあるいはロービームで点灯されることを意味している。ただし、パッシングなどで一時的にヘッドランプが点灯される場合は、本実施の形態におけるヘッドランプの点灯には含めないものとする。
【００２１】
車両制御装置１１は、ライトスイッチ１２のセットされた位置およびヘッドランプの点灯状態に応じた信号を生成し、ナビ制御装置３に出力する。ナビ制御装置３は、受信した信号に応じてナビゲーション装置の表示モードを通常表示モードと夜間表示モードに設定して、各種のナビゲーション制御を行う。本発明は、このような点に特徴を有する。
【００２２】
車両制御装置１１からナビ制御装置３へ出力する信号は、信号１および信号２より構成される。信号１は、ＯＮでヘッドランプ点灯、ＯＦＦでヘッドランプ消灯を示す信号である。信号２は、ＯＦＦでライトスイッチ１２がオートライトの位置あるいはライトスイッチ１２がオフの位置であることを示し、ＯＮでライトスイッチ１２がヘッドランプオンの位置あるいは車幅灯オンの位置であることを示す信号である。図３は、信号１および信号２と、ライトスイッチ１２と、ヘッドランプと、後述するナビゲーションの表示モードとの関係を示す図である。
【００２３】
信号１は、ヘッドランプの駆動信号あるいは駆動されたヘッドランプの端部の信号をそのまま使用すればよい。信号２は、ライトスイッチ１２のオートライトの状態とライトスイッチ１２がオフの状態をＯＲ回路で受け反転して出力させればよい。あるいは、信号２は、ライトスイッチ１２の車幅灯オンの状態とライトスイッチ１２のヘッドランプオンの状態をＯＲ回路で受けそのまま出力させればよい。
【００２４】
次に、ナビゲーション装置側の処理を説明する。図４は、ナビゲーション装置のナビ制御装置３の処理のフローチャートを示す図である。現在地を表示しながら道路地図を表示する処理を示している。
【００２５】
ステップＳ１では、ナビ制御装置３が受信した信号１、信号２が、ＯＮ、ＯＦＦかを判断する。信号１、信号２がＯＮ、ＯＦＦかとは、図３にも示すように、ライトスイッチ１２がオートライトの位置でヘッドランプがオンしているかどうかということである。信号１、信号２がＯＮ、ＯＦＦであると判断されるとステップＳ５に進み、信号１、信号２がＯＮ、ＯＦＦでないと判断されるとステップＳ２に進む。
【００２６】
ステップＳ２では、受信した信号１、信号２がＯＦＦ、ＯＮかを判断する。信号１、信号２がＯＦＦ、ＯＮかとは、図３にも示すように、ライトスイッチ１２が車幅灯オンの位置かどうかということである。信号１、信号２がＯＦＦ、ＯＮであると判断されるとステップＳ３に進み、信号１、信号２がＯＦＦ、ＯＮでないと判断されるとステップＳ４に進む。
【００２７】
ステップＳ４では、ナビゲーション装置の表示モードを通常表示モードに設定し、ステップＳ５では、夜間表示モードに設定する。ステップＳ３では、予め選択された表示モードに設定する。本実施の形態では、車幅灯オンの場合は、通常表示モードにするか夜間表示モードにするかが、ユーザが選択できるようになっている。ユーザは、メニュー画面を使用して、車幅灯オンの場合に通常表示モードにするか夜間表示モードにするかを予め選択しておく。
【００２８】
ステップＳ６では、現在地検出装置１を使用して車両の現在地を検出する。ステップＳ７では、車両の現在地周辺の道路地図データを地図記憶装置２から取得して、車両の現在地表示とともに車両の現在地周辺の道路地図をディスプレイ５に表示する。このとき、ステップＳ３〜Ｓ５で設定された表示モードで表示する。また、推奨経路が探索されている場合には、探索された推奨経路に従って経路誘導なども行う。その後、ステップＳ１に戻り処理を繰り返す。
【００２９】
次に、ナビゲーション装置の表示モードについて説明する。通常表示モードは、昼間など明るいときに道路地図などを表示させる表示モードである。夜間表示モード（ナイトモードと言ってもよい）とは、夜間やトンネルや地下駐車場等の暗いところで道路地図などを表示させるモードである。
【００３０】
夜間など暗いときに通常の表示モードで道路地図などを表示させると、画面が明るすぎて見にくくなる。従って、道路地図などの表示色を、通常表示モードより暗い色で表示するようにする。すなわち、道路地図を夜間の様子あるいは雰囲気で表示させる。また、建物などを表示する場合は、建物を暗い色で表示し、窓には明かりがついているように夜間の雰囲気を出して表示する。
【００３１】
本実施の形態では、地図記憶装置２の道路地図データに基づき、道路地図を平面地図あるいは鳥瞰図で表示する。平面地図は、同一の地図上では縮尺率が変化しない地図である。一方、鳥瞰図は、上空の視点から所定の方向を見下ろした地図表示であり、例えば現在地周辺を拡大して表示するとともに先を縮小して広範囲を表示する地図表示である。すなわち、同一の鳥瞰図内では縮尺率が徐々に変化する地図表示である。なお、鳥瞰図の生成方法は公知な内容であるので、その説明は省略する。
【００３２】
道路地図を鳥瞰図で表示する場合には、画面上部に空を表示するようにして臨場感を出すようにする。このとき、通常表示モードでは、空を明るい青色で表示する。一方、夜間表示モードでは、黒や紺色など暗い夜の空を示す色で表示する。なお、暗い表示色とは、輝度も低くなっている。
【００３３】
本実施の形態の車両電子装置システムは、以上説明したように構成するので、次のようなすぐれた効果を奏する。
（１）本実施の形態の車両電子装置システムでは、車両のライトスイッチ１２に連動して、ナビゲーション装置の表示モードを変更することができる。これにより、ナビゲーション装置のユーザであるドライバーは、ナビゲーション装置の入力装置４を操作しなくても、車両の運転と同じ感覚の操作で、ナビゲーションの表示モードを変更することができる。すなわち、運転に集中しながらナビゲーション装置の表示モードを自由に変更することができる。
（２）例えば、昼間に安全のため車両のヘッドランプを点灯して走行していても、明るい通常表示モードで道路地図などのナビゲーション画面を表示させることができる。このような状態で、トンネルなどに入って暗くなった場合は、車両のライトスイッチ１２をオートライトに変更することにより、ヘッドランプの点灯を継続させながらナビゲーション装置を暗い夜間表示モードに変更することができる。このように、ドライバーは、運転に集中しながら、ナビゲーション装置の入力装置４に視線を落とすこともなく、ナビゲーション装置の表示モードを変更することができる。これは、車両運転の安全面から見て極めて優れた効果である。
（３）図３にも示すように、オートライトでヘッドランプ消灯とライトスイッチ１２のオフを同じ信号として出力するようにしたので、信号線２本で必要な状態を表すことができるようになった。これにより、コンパクトの回路設計が可能となった。
（４）ライトスイッチ１２が車幅灯オンの場合は、通常表示モードにするか夜間表示モードにするかを予め選択して設定することができるようにした。これにより、ユーザの好みに合った表示モードの設定をすることができる。
（５）夜間表示モードでは、道路地図などのナビゲーション装置の表示画面を暗い色で表示するようにしたので、回りが暗いときにはまぶしくなく、ディスプレイ５が見やすい。また、ビルの窓の明かりや空の色を夜間の様子をかもしだすような表示を採用するので、臨場感あふれるナビゲーション画面が実現できる。
【００３４】
なお、上記の実施の形態では、車載用電子装置としてカーナビゲーション装置の例で説明をしたが、必ずしもこの内容に限定する必要はない。カーオーディオ装置やテレビ受像機であってもよい。また、操作パネルなどに表示素子を有するエアコン装置であってもよい。すなわち、本発明は、表示画面や表示素子などを有するすべての車載用電子装置に適用できる。テレビ受像機での夜間表示モードは、テレビ画面の輝度を通常表示モードより下げた表示モードにすればよい。カーオーディオ装置やエアコン装置での夜間表示モードは、操作パネル上の各種の表示素子の輝度を通常表示モードより下げた表示モードにすればよい。
【００３５】
なお、上記の実施の形態のカーナビゲーション装置においても、夜間表示モードを、単に画面の輝度を下げるだけで実現するようにしてもよい。このようにすれば、簡単なプログラムで、夜間表示モードを実現することができる。また、カーナビゲーション装置以外の車載用電子装置においても、表示色を暗い色に変えることにより夜間表示モードを実現するようにしてもよい。すなわち、明るい表示モードと暗い表示モードが実現できるのであれば、表示色を変えようと輝度を変えようと、あるいはその他の方法であっても構わない。
【００３６】
また、上記の実施の形態では、ライトスイッチ１２が車幅灯オンの場合に採用する表示モードを予め選択できる例で説明したが、必ずしもこの内容に限定する必要はない。通常表示モードか夜間表示モードのどちらかに固定するようにしてもよい。
【００３７】
また、上記の実施の形態では、車両制御装置１１がナビ制御装置３へ出力する信号は、信号１と信号２の２本の信号線で実現する例で説明したが、必ずしもこの内容に限定する必要はない。２本以上であってもよい。２本以上にすれば、オートライトでヘッドランプ消灯とライトスイッチ１２のオフを同じ信号として出力する必要はない。これにより、信号生成部の回路が簡単に構成することができる。また、ライトスイッチ１２とヘッドライトの点灯のあらゆる組み合わせが把握できるので、きめの細かい設定が可能となる。
【００３８】
また、信号線を１本にしてもよい。１本にする場合は、図３のような４つあるいは５つの状態を、異なる電圧レベルで送ったりする。異なる電圧レベルの信号を送信する場合は、車両制御装置１１側ではＤ／Ａ回路を備え、ナビ制御装置３側ではＡ／Ｄ回路を備えるようにする。また、車両制御装置１１からＰＷＭ信号で送信するようにしてもよい。さらに、４つあるいはそれ以上の状態を表す複数のビット信号を、時系列でシリアルに送るようにしてもよい。すなわち、図３で示すような複数の状態を識別できる信号であれば、その出力形態はどのようなものであってもよい。
【００３９】
また、上記の実施の形態では、カーナビゲーション装置の例で説明をしたが、この内容に限定する必要はない。携帯用のナビゲーション装置を車両に搭載する場合も本発明は適用できる。この場合、車両制御装置１１からの出力を所定のＩ／Ｏポートなどに接続するようにする。
【００４０】
また、上記の実施の形態では、カーナビゲーション装置の制御装置３が実行する制御プログラムはメモリに格納されている例で説明をしたが、この内容に限定する必要はない。制御プログラムやそのインストールプログラムをＣＤ−ＲＯＭなどの記録媒体で提供してもよい。
【００４１】
さらに、それらのプログラムをインターネットなどに代表される通信回線などの伝送媒体を介して提供することも可能である。すなわち、プログラムを、伝送媒体を搬送する搬送波上の信号に変換して送信することも可能である。カーナビゲーション装置は、通信回線との接続機能、例えば携帯電話との接続機能を有するようにすればよい。
【００４２】
また、上述の制御プログラムをパソコンやＰＤＡ（携帯端末）上で実行させてナビゲーション装置を実現するようにしてもよい。
【００４３】
上記では、種々の実施の形態および変形例を説明したが、本発明はこれらの内容に限定されるものではない。本発明の技術的思想の範囲内で考えられるその他の態様も本発明の範囲内に含まれる。
【００４４】
以下、請求項の構成要素と上記実施の形態の構成要素との対応付けについて説明する。本発明の車載用電子装置はカーナビゲーション装置に対応し、車両制御手段は車両制御装置１１に対応し、車載用電子装置の表示手段はディスプレイ５に対応し、車載用電子装置の表示制御手段はナビ制御装置３に対応する。また、請求項の通常表示モードはそのまま実施の形態の通常表示モードに対応し、第２の表示モードは夜間表示モードに対応する。なお、これらの対応付けの説明はあくまで一例であり、本発明はこの対応付けに限定して解釈されるものではない。
【図面の簡単な説明】
【００４５】
【図１】本発明の一実施の形態である車両電子装置システムのブロック図である。
【図２】車両のライトスイッチの外観を示す図である。
【図３】信号１および信号２と、ライトスイッチと、ヘッドランプと、ナビゲーションの表示モードとの関係を示す図である。
【図４】ナビゲーション装置のナビ制御装置の処理のフローチャートを示す図である。
【符号の説明】
【００４６】
１  現在地検出装置
２  地図記憶装置
３  制御装置
４  スイッチ群
５  ディスプレイ
６  ＣＤ−ＲＯＭ
１１  車両制御装置
１２  ライトスイッチ
１３  センサ
１４  ランプ
【図１】
2006131008.tif 000003
【図２】
2006131008.tif 000004
【図３】
2006131008.tif 000005
【図４】
2006131008.tif 000006